(57)【要約】      （修正有）【課題】カップ等の容器を入れる開口穴の外径を一方向に伸縮自在な、容器支持用の仕切りを提供する。【解決手段】左右の側板を相対向して設け、当該各側板の上端から各側板に向けて天板片２´、２´を夫々略水平に突設し、上記各天板片２´の相互に近接した先端縁を断面Ｖ字型の接続板で接続してひだ部とし、上記左右の側板、天板片２´、接続板は弾性を有する部材から成り、かつ各部材の接続角度は自在に変形する構成とし、上記ひだ部を中心に平面視略円形状の開口穴３を穿ち、上記開口穴３を複数設けた。【選択図】図２
0003198298.tif 000002
【実用新案登録請求の範囲】
【請求項１】
左右の側板を相対向して設け、当該各側板の上端から各側板に向けて天板片を夫々略水平に突設し、
上記各天板片の相互に近接した先端縁を断面Ｖ字型の接続板で接続してひだ部とし、
上記左右の側板、天板片、接続板は弾性を有する部材から成り、かつ各部材の接続角度は自在に変形する構成とし、
上記ひだ部を中心に平面視略円形状の開口穴を穿ち、上記開口穴を複数設けたことを特徴とする容器支持用の仕切り。
【請求項２】
上記天板片はひだ部に向かって下向きに傾斜した構成としたことを特徴とする、上記請求項１に記載の容器支持用の仕切り。
【請求項３】
上記左右の側板の下端縁に、各側板の下端縁を接続する連結片を設けたことを特徴とする、上記請求項１又は２に記載の容器支持用の仕切り。
【請求項４】
上記請求項１、２又は３の何れかに記載の容器支持用の仕切りを嵌合したことを特徴とする、箱体。
【考案の詳細な説明】
【技術分野】
【０００１】
この考案は、洋菓子店等で購入される、容器に入れられた菓子を箱体内において、しっかりと保持できる、容器支持用の仕切り及び当該仕切りを嵌合した箱体に関するものである。
【背景技術】
【０００２】
従来、洋菓子店においては、容器、例えば、透明なカップ又は着色されたカップに入れられたケーキ、プリン及びゼリーなどが販売されている。これらの様なケーキ等を購入した場合、上部に把手部を設けた紙箱等の中に、カップ用仕切り又はカップホルダーを設置し、当該カップ用仕切り等には複数の嵌合穴が設けられており、これらの嵌合穴の中に上記カップケーキ等を嵌め入れて当該カップケーキ等が無闇に移動しないようになっている。
【０００３】
この様なカップホルダーの一例として、特許文献１に記載されたものがある。この特許文献１のカップホルダーは、ボール紙を折り込んで扁平な角筒状にし、当該角筒を形成する上板と下板の対向する箇所に円形状の穴を複数開けてスリーブ式カップホルダーを形成している。
【先行技術文献】
【特許文献】
【０００４】
【特許文献１】実開平６−７８２７１号公報
【考案の開示】
【考案が解決しようとする課題】
【０００５】
しかし、上記特許文献１に記載のカップホルダーでは、カップを嵌め入れる複数の穴の外径は特定されており、当該穴に外径の小さなカップを入れてもガタつくことなり、大小様々な外径のカップに対応できるものではない。
【０００６】
一方、外径の異なるカップに対応できる穴を有するカップホルダー（仕切り）ならば、様々な要求を持つ消費者の好みにも対応できることになり、カップホルダー（仕切り）自体の売り上げを伸ばすことが出来る。
【０００７】
この考案は、この様な状況に鑑みて為されたもので、カップ等の容器を入れる開口穴の外径を一方向に伸縮自在な、容器支持用の仕切り及び当該仕切りを嵌合した箱体を提供して上記課題を解決するものである。
【課題を解決するための手段】
【０００８】
請求項１の考案は、左右の側板を相対向して設け、当該各側板の上端から各側板に向けて天板片を夫々略水平に突設し、上記各天板片の相互に近接した先端縁を断面Ｖ字型の接続板で接続してひだ部とし、上記左右の側板、天板片、接続板は弾性を有する部材から成り、かつ各部材の接続角度は自在に変形する構成とし、上記ひだ部を中心に平面視略円形状の開口穴を穿ち、上記開口穴を複数設けた容器支持用の仕切りとした。
【０００９】
請求項２の考案は、上記各天板片はひだ部に向かって下向きに傾斜した構成とした上記請求項１に記載の容器支持用の仕切りとした。
【００１０】
請求項３の考案は、上記左右の側板の下端縁に、各側板の下端縁を接続する連結片を設けた上記請求項１又は２に記載の容器支持用の仕切りとした。
【００１１】
請求項４の考案は、上記請求項１、２又は３の何れかに記載の容器支持用の仕切りを嵌合した箱体とした。
【考案の効果】
【００１２】
請求項１の考案によれば、仕切りの開口穴を、ひだ部を設けて一方向に伸縮自在に設けたので、従来の特定な径のカップ等の容器支持用の仕切りよりも、径の異なる容器を安定して支持することが出来、極めて便利である。また、当該仕切りは一枚の薄板を打ち抜きかつ折ることによって容易に形成できる。
【００１３】
請求項２の考案によれば、上記各天板片は、左右両側板からひだ部に向かって下向きに傾斜させたので、上記天板片が水平な場合よりも、開口穴が伸縮できる範囲が広くなり、さらに、多くの種類の外径の容器を安定して支持することが出来、極めて便利である。また、左右両側板の天板片がひだ部に向かって下向きに傾斜した中心に開口穴を有するため、容器を当該開口穴に入れる際、各天板片がガイドとなって入れ易い。また、開口穴より径の大きい容器の場合も各天板片がずれ易く入れ易い。
【００１４】
請求項３の考案によれば、左右の側板を連結することにより、当該仕切りが断面略筒型となり、形状が固定され、当該仕切りを箱体に嵌合する際、入れ易い。
【図面の簡単な説明】
【００１５】
【図１】この考案の実施の形態例１の仕切りを紙箱の中に入れ、当該仕切りの開口穴内にカップを入れた状態を示す斜視図である。
【図２】この考案の実施の形態例１の仕切りの展開図である。
【図３】この考案の実施の形態例１の仕切りを組み立てた状態の斜視図である。
【図４】この考案の実施の形態例１の組み立てた仕切りを紙箱の中に入れた状態の斜視図である。
【図５】この考案の実施の形態例１の仕切りを紙箱内に入れ、当該仕切りの開口穴内にテーパー形状のカップを入れた状態の一部断面図である。
【図６】この考案の実施の形態例１の仕切りを紙箱内に入れ、当該仕切りの開口穴内にカップを入れた状態の一部断面図である。
【図７】この考案の実施の形態例２の仕切りを紙箱内に入れ、当該仕切りの開口穴内にカップを入れた状態の一部断面図である。
【図８】この考案の実施の形態例２の仕切りを紙箱内に入れ、当該仕切りの開口穴内にテーパー形状のカップを入れた状態の一部断面図である。
【図９】この考案の実施の形態例３の仕切りの展開図である。
【図１０】この考案の実施の形態例３の仕切りを組み立てた状態の斜視図である。
【考案を実施するための形態】
【００１６】
（実施の形態例１）
以下、この考案の実施の形態例１の容器用仕切り（以下、単に「仕切り」と言う。）を図に基づいて説明する。この実施の形態例１の仕切りＡは、紙製の長方形状の板体１から成る。
【００１７】
図２に示す様に、この仕切りＡは、この板体１の左端縁及び右端縁から同じ距離の位置に左端縁及び右端縁と平行な折り目ア、イを夫々設け、左側板５及び右側板６を設けている。この板体１上の上記折り目ア、イに挟まれた板を天板２となし、当該天板２上に横長の略楕円形状の開口穴３を前後方向に３個設けている。但し、当該略楕円形状は両側が半円形状、中央部は平行線で形成されている。
【００１８】
また、この天板２上であって、天板２の中央部であってかつ上記各開口穴３の中央部を中心にしてこれらの開口穴３を通る３本の折り目ウ、エ、オを相互に間隔をあけて設けている。
【００１９】
次に、この仕切りＡを組み立てる。図３に示すように、上記左端縁及び右端縁近くの２本の折り目ア、イを夫々山折りしてこの板体１を左側板５、右側板６及び天板２から成る略チャネル形状に形成する。さらに、この略チャネル形状に形成した板体１の天板２上の上記３本の折り目ウ、エ、オのうち真中の折り目エを谷折りし、この折り目エの左右の折り目ウ、オを夫々山折りし、これらを接続板２ａ、２ｂとし、これらの対向する接続板２ａ、２ｂによって断面Ｖ字型のひだ部４が設けられ、上記開口穴３は伸縮自在となり、伸びた状態では横長の略楕円形状となる。また、上記ひだ部４により、天板２は左右の天板片２´に分かれる。
【００２０】
そして、上記対向する接続板２ａ、２ｂを当接させた状態の時、上記３個の開口穴３は同形同大の略正円形状となる。また、上記ひだ部４は、左側板５及び右側板６が立っている床面から浮いている。この状態を基本姿勢とし、この状態で、当該仕切りＡを図４に示すように、直方体形状の紙箱Ｄの底板上に嵌め入れる。
【００２１】
そして、紙箱Ｄの底板上に嵌め入れられた仕切りＡの開口穴３の中に２個のプラスチック製で透明なカップＢ、Ｃを夫々嵌め入れる。カップＢの底面は円形状であるが、側面は上向きの大きなテーパー形状となっており、底面の外径はこの仕切りＡの開口穴３の上記基本姿勢の内径よりもやや小さく、側面の外径はこの仕切りの開口穴３の基本姿勢の内径よりも大きいものとなっている。また、テーパー形状のカップＢに限らず、円筒状のカップであって、開口穴３の径よりもやや大きい径のものは開口穴３が広がって挿入、支持できる。
【００２２】
また、カップＣの断面径は、上記開口穴３の上記基本姿勢の内径と略同じで、側面はテーパー形状ではなく、真っ直ぐに上方に伸びたものとなっている。
【００２３】
この仕切りＡの開口穴３の中に、カップＢ入れると、図５に示すように、このカップＢの側面の外径に応じて、左右の天板片２´がひだ部４に向かって下方へ傾斜し、また、断面Ｖ字型の仕切りＡのひだ部４が広がって開口穴３の水平方向の径が伸びるようになっている。この状態でも上記ひだ部４は紙箱Ｄの床面には接していない。また、同様に、開口穴３の中にカップＣを入れた状態を図６に示す。この場合、開口穴３のひだ部４は伸びていない。
【００２４】
また、この仕切りＡの開口穴３に入れたカップＢの外径に応じて、当該開口穴３は、ひだ部４の直角方向に端縁が伸びながらこれらのカップＢの外周縁と接触して抑えるので、カップＣはもちろん、カップＢでも無闇に移動することが無く、安全である。
【００２５】
（実施の形態例２）
続いて、実施の形態例２を説明する。
ここでは、上記実施の形態例１の仕切りＡと相違する構成のみを説明する。この実施の形態例２の仕切りＥの天板７を成す左右の天板片７´として、図７に示すように、ひだ部４に向かって左右の両端から下向きに傾斜させた状態を基本姿勢としている。なおこの基本姿勢においても上記ひだ部４は床面から上方に位置している。この様にすることにより、図８に示すように、テーパー形状で側面の外径が底面の外径よりも大きなカップＢであっても、この天板片７´の傾斜角度の変位によって、上記ひだ部４が伸長して開口穴３の水平方向の長さを伸長させることが出来、上記実施の形態例１の開口穴３よりも大きな径のカップでも対応することが出来る。また、上記天板片７´がひだ部４に向かって下方へ傾斜しているため、カップＢ、Ｃを入れる際、天板片７がガイドとなり、開口穴３に入れ易い。
【００２６】
（実施の形態例３）
さらに、実施の形態例３を説明する。
ここでは、上記実施の形態例１及び２の各仕切りＡ、Ｅと相違する構成のみを説明する。この実施の形態例３の仕切りＦでは、図９に示すように、左側板８の外端縁の左方に折り目カを介して細幅の折り込み片９を設け、上記折り目カの中央に一定幅の切り込み９ａを設けている。
【００２７】
また、右側板１０の外端縁の右方に折り目キを介して折り込み片１１を設け、この折り込み片１１の外端縁の中央に折り目クを介して折り込み舌片１１ａを設けている。
【００２８】
次に、この仕切りＦを組み立てるが基本的な組み立て方は上記実施の形態例１の仕切りＡと同様である。ただこの実施の形態例３では、組み立てた際、図１０に示すように、左側板８の下端と、右側板１０の下端とを折り込み片９と折り込み片１１により接続した変形の角筒形状とし、最後に、上記折り込み舌片１１ａを切り込み９ａの中に入れて変形角筒形状を完成している。この様にすることにより、この実施の形態例３の仕切りＦでは、上記実施の形態例１の仕切りＡよりも形状が安定したものとなり、より強固な仕切りを形成することが出来る。また、箱体に当該仕切りＦを入れる際、角筒形状で固定されているため入れ易い。
【００２９】
さらに、左右の側板８、１０の下端を連結するのは上記実施の形態例３のものに限らず、適宜の連結片で連結することもできる。
【００３０】
上記実施の形態例１、２及び３では、仕切りＡを紙製としたが、材質としては紙製に限るものではなく、この実施の形態例１の仕切りＡとして作用し、効果が得られるものならば、他の材質、例えば、合成樹脂などでも良い。
【００３１】
また、仕切りＡに設ける開口穴の数として３個設けているが、もちろん３個に限るものではなく、必要な数の開口穴を設ければよい。また、この仕切りＡの開口穴３に入れる容器として、プラスチック製で透明なカップを使用しているが、開口穴３に入れるものはこれに限らず、缶、ビン等、開口穴３に嵌め入れることが出来るものならば他のものでも良い。
【００３２】
さらに、この仕切りＡの断面Ｖ字型のひだ部４を構成する接続板２ａ、２ｂを当接させた状態の時、３個の開口穴３を同形同大の略正円形状としているが、開口穴３の形状は、同形同大の正円形状に限るものではなく、楕円形状などでも良く、また、形状や大きさを夫々の開口穴で変えても良い。
【００３３】
また、この仕切りＡを紙箱Ｄの中に入れて使用しているが、この仕切りＡを用いるのは紙箱に限るものではなく、この仕切りを使用できるものならば、他の容器等に設置しても良く、さらには、容器等に入れなくても良い。
【符号の説明】
【００３４】
Ａ    仕切り          Ｂ    カップ            Ｃ    カップ
Ｄ    紙箱            Ｅ    仕切り            Ｆ    仕切り
１    板体            ２    天板              ３    開口穴
４    ひだ部          ５   左側板             ６    右側板
７    天板            ８    左側板            ９    折り込み片
１０    右側板        １１    折り込み片      
【図１】
0003198298.tif 000003
【図２】
0003198298.tif 000004
【図３】
0003198298.tif 000005
【図４】
0003198298.tif 000006
【図５】
0003198298.tif 000007
【図６】
0003198298.tif 000008
【図７】
0003198298.tif 000009
【図８】
0003198298.tif 000010
【図９】
0003198298.tif 000011
【図１０】
0003198298.tif 000012